(57)【要約】【課題】加熱室内から蒸気が洩れるのを防止する。【解決手段】加熱室を開閉する扉５と、この扉を筐体に回動自在に軸支する軸支手段７とを備え、上記軸支手段７は前記筐体に取り付け固定した固定金具と前記扉を軸支した軸支体１２で構成し、かつ、前記軸支体は前記扉の軸支部位置を筐体に対し前後調節可能なる如く筐体に取り付けた構成としてあり、扉組み立て時に左右の軸支位置を調節して扉左右で生じやすい隙間の発生を解消して、加熱室内から蒸気が洩れるのを防止することができる。【選択図】図２
2007327677.tif 000002
【特許請求の範囲】
【請求項１】
筐体内に設けた加熱室と、前記加熱室内の被加熱物を加熱する蒸気発生手段と、前記加熱室を開閉する扉と、この扉を筐体に回動自在に軸支する軸支手段とを備え、上記軸支手段は前記筐体に取り付け固定した固定金具と前記扉を軸支した軸支体とで構成し、かつ、前記軸支体は前記扉の軸支部位置を筐体に対し前後調節可能なる如く取り付けた蒸気加熱装置。
【請求項２】
軸支手段の一方に扉を附勢する附勢手段を設けるとともに、この附勢手段を設けた軸支手段の固定金具には更に固定金具に対して軸支体を前後に微調整する微調整手段を設けた請求項１記載の蒸気加熱装置。
【請求項３】
軸支手段の軸支体は、筐体の底板と加熱室の底板との間の間隔と略同高幅であって、筐体底板側に同筐体底板への取付け面部を形成するとともに加熱室底板側には同加熱室底板に当接する当接面部を形成し、筐体底板側から軸支体をビス止めする構成とした請求項１または２記載の蒸気加熱装置。
【発明の詳細な説明】
【技術分野】
【０００１】
本発明は被加熱物を蒸気あるいは高周波との組み合わせで加熱する蒸気加熱装置に関するものである。
【背景技術】
【０００２】
従来、この種の蒸気加熱装置は加熱室内に供給した蒸気によって非加熱物を加熱調理するようになっている(例えば、特許文献1参照)。図９はこのような蒸気加熱装置を示し、５１は調理器の筐体、５２は筐体内の加熱室を開閉する扉で、パッキ５３によって筐体５１と扉５２との間をシールして加熱室内の蒸気が加熱室から漏れないようにしてある。
【特許文献１】特開平０４−２４９０９１号公報
【発明の開示】
【発明が解決しようとする課題】
【０００３】
しかしながら、上記従来の蒸気加熱装置は図９に示すように扉５２を筐体５１に回動自在に支持する左右の軸支位置Xのバラツキによって扉５２と筐体５１との間に位置することになるパッキン５３用の間隙が左右で微妙に異なってしまうことがあり、その結果扉左右のいずれか側に隙間が発生し、加熱室内の蒸気が若干とはいえ洩れ出てくるという課題があった。
【０００４】
本発明はこのような従来の課題を解決するもので、筐体と扉との間からの蒸気洩れがない高品質の蒸気加熱装置を提供するものである。
【課題を解決するための手段】
【０００５】
本発明は前記従来の課題を解決するために、筐体内に設けた加熱室と、前記加熱室内の被加熱物を加熱する蒸気発生手段と、前記加熱室の開口部を開閉する扉と、この扉を筐体に回動自在に軸支する軸支手段とを備え、上記軸支手段は前記筐体に取り付け固定した固定金具と前記扉を軸支した軸支体とで構成し、かつ、前記軸支体は前記扉の軸支部位置を筐体に対し前後調節可能なる如く固定金具に取り付けた構成としてあり、扉組み立て時に左右の軸支位置を調節して扉左右で生じやすい隙間の発生を解消することができる。
【発明の効果】
【０００６】
本発明は扉左右で生じやすい隙間の発生がなくなるので、加熱室内から蒸気が洩れるのを防止することができる。
【発明を実施するための最良の形態】
【０００７】
第１の発明は、筐体内に設けた加熱室と、前記加熱室内の被加熱物を加熱する蒸気発生手段と、前記加熱室の開口部を開閉する扉と、この扉を筐体に回動自在に軸支する軸支手段とを備え、上記軸支手段は前記筐体に取り付け固定した固定金具と前記扉を軸支した軸支体とで構成し、かつ、前記軸支体は前記扉の軸支部位置を筐体に対し前後調節可能なる如く取り付けた構成としてあり、扉組み立て時に左右の軸支位置を調節して扉左右で生じやすい隙間の発生を解消することができる。
【０００８】
第２の発明は特に第１の発明の軸支手段の一方に扉を附勢する附勢手段を設けるとともに、この附勢手段を設けた軸支手段の固定金具には更に固定金具に対して軸支体を前後に微調整する微調整手段を設けた構成としてあり、附勢手段による扉閉成の確実化を維持しつつこの附勢手段による附勢力があってもその軸支部の位置を正確に調整することができ、扉組み立て時の扉位置の調整を確実にできる利点がある。
【０００９】
第３の発明は特に第１，２の発明の軸支手段の軸支体は、筐体の底板と加熱室の底板との間の間隔と略同高幅であって、筐体底板側に同筐体底板への取付け面部を形成するとともに加熱室底板側には同加熱室底板に当接する当接面部を形成し、筐体底板側から軸支体をビス止めする構成としてあり、組み立て完成検査時に上記漏れがあった場合には筐体を上下逆さにして軸支位置の調整を筐体底側から行うことができ、軸部部を分解する必要がないので容易に調整ができるとともに扉の左右方向の傾きも少ないものとすることができる利点がある。
【００１０】
以下本発明の実施の形態を図面を参照しながら説明する。なお、この実施の形態によって本発明が限定されるものではない。
【００１１】
(実施の形態１)
図１は本発明の実施の形態１における蒸気加熱装置の右側側面図、図２はその要部拡大側面図、図３は同軸支手段の側面図、図４は同軸支手段のみを示す側面図、図５は図４のＡ-Ａ断面図、図６は蒸気加熱装置の左側側面図、図７は同要部拡大側面図、図８は同作用説明図である。
【００１２】
図１〜図８において、1は蒸気加熱装置の筐体で、内部に加熱室２を有しており、３は筐体１の扉板、４は底板である。５は筐体１の加熱室２を開閉する扉で、加熱室側周縁部に前記扉板３に接して気密を保持するためのパッキン６が装着してあり、図１に示す右軸支手段７と図６に示す左軸支手段８とで回動自在に支持してある。そしてこの扉５の右側はは扉ピン５aに引っ掛けたアーム９と当該アーム端部と筐体１との間に懸架した扉バネ１０とによって、扉５の開成時の重さを低減すると同時に閉成時の引っ込み力を助成している。なお図中１１は前記アームの回動を支持するローラである。
【００１３】
次に図３〜図５、図６〜図８を用いて軸支手段を説明する。まず、図３から図５を用いて右軸支手段７の構成を説明する。１２は扉５の右軸１３を回転自在に軸支する軸支体で、軸支部材１４を固定した副軸支体１２aとこれを前後に摺動自在にビス１５止めした主軸支体１２ｂとから成り、それぞれの傾斜辺１６a、１６ｂにねじ込んだ調整ビス１７を回転させることにより右軸１３の位置を矢印Ａのように微調整可能となっている。この軸支体１２はこれを一体に保持固定している固定金具１８(軸支体の一部を構成する部材)を筐体１の底板４に矢印Ａ方向に移動可能なようにビス(図示せず)止めしてあり、そのビス止めは底板４の下側から行うような構成としてある。また、前記調整ビス１７は筐体の側面を覆う外装ケース(図示せず)を後方にずらすことによって側面から回転させることができるようにしてある。さらに前記固定金具１８はその上部に前記加熱室の底板１９(図７参照)に当接する当接部１８aを形成して軸支体１２自体の上下方向のズレを防止している。
【００１４】
次に図６〜図８を用いて左軸支手段８を説明すると、２０は扉５の左軸２１を回転自在に軸支する軸支体で、これを一体に保持固定している固定金具２２(軸支体の一部を構成する部材)を筐体１の底板４に矢印F方向に移動可能なようにビス(図示せず)止めしてあり、そのビス止めは前記と同様底板４の下側から行うような構成としてある。そしてこの固定金具２２もその上部に前記加熱室の底板１９に当接する当接部１８aを形成して軸支体２０自体の上下方向のズレを防止している。
【００１５】
なお、図６に示す２３は加熱室内に設けた蒸気発生手段であり、図示はしないもののこの加熱室に高周波を供給する高周波発生手段も備えている。また、図１、図６の各軸支手段７、８の下部に図示している２４は結露水受け容器で、前方に着脱自在なっており、これを取り外せば各固定金具１８、２２を筐体に取り付けているビスを筐体の底から操作で
きるようになっている。
【００１６】
上記構成において、この装置では左右の軸支手段７、８を筐体１にビス止めして扉５を筐体１に取り付けたとき、扉ばね１０を設けた側がこの扉ばねの附勢力によって位置ずれし扉板３パッキン６との間に隙間が発生しやすい。このような場合、すなわち組み立て過程において扉バネ１０を設けた側で隙間が発生した場合、調整ビス１７を回転させればよく、これにより副軸支体１２aを前後に移動させて隙間を解消することができる。また、使用者が使用しているうちに経年変化で隙間が生じたような場合はサービスマンが調整をするが、その際は筐体１を逆さにして底板側から容易に調整することができる。
【００１７】
また、上記各軸支体１２、２０は筐体底板４に取り付けた上体でその上部が加熱室底板１９に当接しているから軸支体１２、２０自体の上下位置のバラツキもなくすることができ、扉５の左右が上下方向で傾くなどの問題もなくすることができる。  
【産業上の利用可能性】
【００１８】
以上のように本発明の蒸気加熱装置は、筐体と扉との間に生じる隙間を確実かつ容易になくすることができ、蒸気洩れのない高品質の装置を提供することができる。
【図面の簡単な説明】
【００１９】
【図１】本発明の実施の形態１における蒸気加熱装置の右側面図
【図２】同実施の形態１の要部拡大側面図
【図３】同軸支手段の側面図
【図４】同軸支手段のみを示す側面図
【図５】図４のＡ-Ａ断面図
【図６】同実施の形態１における蒸気加熱装置の左側面図
【図７】同要部拡大側面図
【図８】同作用説明図
【図９】従来の蒸気加熱装置をを示す要部断面図
【符号の説明】
【００２０】
１  筐体
２  加熱室
４  筐体底板
５  扉
７  右軸支手段
８  左軸支手段
１０  扉バネ(附勢手段)
１２  右軸支体(微調整手段)
１８  固定金具
２０  左軸支体
２２  固定金具
２３  蒸気発生手段
【図１】
2007327677.tif 000003
【図２】
2007327677.tif 000004
【図３】
2007327677.tif 000005
【図４】
2007327677.tif 000006
【図５】
2007327677.tif 000007
【図６】
2007327677.tif 000008
【図７】
2007327677.tif 000009
【図８】
2007327677.tif 000010
【図９】
2007327677.tif 000011